(57)【要約】【課題】履物用剥離シートを剥離可能で、且つ強固に中底に貼着した衛生的な履物およびスリッパの提供。【解決手段】  スリッパＡは、裏面に剥離糊を担持した甲カバー用剥離シート１を甲カバー３１の表面に剥離可能に貼着し、和紙製のシート基材２１の裏面に剥離糊２２を担持した中底用剥離シート２を中底３２の表面３３へ、強固、且つ剥離可能に貼着してなり、消臭剤および抗菌剤をシート基材２１に担持させている。これにより、衛生的に利用者にスリッパＡを貸すことができるとともに、利用者が間違えることがない。【選択図】図１
2007061391.tif 000002
【特許請求の範囲】
【請求項１】
足裏を受ける履物の中底の表面へ剥離可能に貼着する履物用剥離シートであって、
中底表面に近似した形状を呈するシート基材の裏面に剥離糊を担持したことを特徴とする履物用剥離シート。
【請求項２】
前記履物は、足を装入する甲カバーを有し、建物内で使用するスリッパであることを特徴とする請求項１に記載の履物用剥離シート。
【請求項３】
前記シート基材は、紙、不織布、またはプラスチックであることを特徴とする請求項１または請求項２に記載の履物用剥離シート。
【請求項４】
前記シート基材は、抗菌消臭処理が成されていることを特徴とする請求項１乃至請求項３に記載の履物用剥離シート。
【請求項５】
前記シート基材には、広告等が印刷されていることを特徴とする請求項１乃至請求項３に記載の履物用剥離シート。
【請求項６】
足裏を受ける中底の表面に近似した形状を呈するシート基材の裏面に剥離糊を担持してなる履物用剥離シートを前記中底に剥離可能に貼着したことを特徴とする履物。
【請求項７】
足裏を受ける中底の表面に近似した形状を呈するシート基材の裏面に剥離糊を担持してなる履物用剥離シートを前記中底に剥離可能に貼着したことを特徴とするスリッパ。
【請求項８】
所定形状および中底表面に近似した形状を呈する各シート基材の裏面に剥離糊を担持してなる甲カバー用剥離シートおよび中底用剥離シートを、
足を装入する甲カバーおよび足裏を受ける中底の表面に剥離可能に貼着したことを特徴とするスリッパ。
【請求項９】
紙、不織布、またはプラスチックで形成され、所定形状および中底表面に近似した形状を呈する各シート基材の裏面に剥離糊を担持してなる甲カバー用剥離シートおよび中底用剥離シートを、
足を装入する甲カバーおよび足裏を受ける中底の表面に剥離可能に貼着したことを特徴とするスリッパ。
【請求項１０】
前記中底用剥離シートのシート基材に抗菌消臭処理を施したことを特徴とする請求項９に記載のスリッパ。
【請求項１１】
中底の表面に近似した形状を呈する中底用シート基材の裏面に剥離糊を担持してなる中底用剥離シートを、足裏を受ける中底の表面に剥離可能に貼着し、
所定形状の甲カバー用シート基材の裏面に剥離糊を担持してなる甲カバー用剥離シートを、足を装入する甲カバーの表面に剥離可能に貼着し、
前記中底用剥離シートや前記甲カバー用剥離シートに、広告や利用予定者の名前を記載することを特徴とするスリッパ。
【発明の詳細な説明】
【技術分野】
【０００１】
本発明は、中底に貼着する履物用剥離シート、履物、および建物内で使用するスリッパに関する。
【背景技術】
【０００２】
両面接着テープを不織布シートの裏面に貼着したスリッパ用中敷が知られている（引用文献１参照）。
複合基材の表面に凹凸面を形成し、裏面を剥ぎ取り紙で覆った履物用中敷が知られている（引用文献２参照）。
難燃性紙素材により一体形成したスリッパ用衛生中敷き、およびこのスリッパ用衛生中敷きを取着したスリッパが知られている（引用文献３参照）。
【特許文献１】実用新案登録第３０５６８６７号公報
【特許文献２】実用新案登録第３０３８８８９号公報
【特許文献３】実用新案登録第３０７６３８２号公報
【発明の開示】
【発明が解決しようとする課題】
【０００３】
しかし、上記の技術は、下記に示す課題を有する。
特許文献１のスリッパ用中敷は、両面接着テープで貼着されているので剥がれ易い。
特許文献２の履物用中敷は、構造が複雑であるのでコストがかかる。
特許文献３のスリッパ用衛生中敷きは、形状が複雑であるのでコストがかかる。また、マジックテープ(登録商標）で中底へ貼着する構造であるので剥がれ易い。
【０００４】
本発明の第１の目的は、スリッパ等の履物の中底表面へ、剥離可能で、且つ強固に貼着できる安価で衛生的な履物用剥離シートの提供にある。
本発明の第２の目的は、履物用剥離シートを剥離可能で、且つ強固に中底に貼着した衛生的な履物およびスリッパの提供にある。
【課題を解決するための手段】
【０００５】
〔請求項１について〕
履物用剥離シートは、中底表面に近似した形状を呈するシート基材の裏面に剥離糊を担持してなり、足裏を受ける履物の中底の表面へ剥離可能に貼着する。
履物用剥離シートは、中底表面に近似した形状に切断したシート基材の裏面に剥離糊を担持させるだけなので、材料費が安価で済む。また、シート基材の裏面に担持させた剥離糊により、履物の中底の表面へ強固に貼着することができる。
【０００６】
〔請求項２について〕
履物用剥離シートは、建物内で使用し、足を装入する甲カバーを有するスリッパの中底表面へ剥離可能に貼着する。
履物用剥離シートは、スリッパの中底表面に近似した形状に切断したシート基材の裏面に剥離糊を担持させるだけなので、材料費が安価で済む。また、シート基材の裏面に担持させた剥離糊により、スリッパの中底の表面へ強固に貼着することができる。
【０００７】
〔請求項３について〕
履物用剥離シートのシート基材は、紙、不織布、またはプラスチックであるので入手し易く、材料費が安価で済む。また、シート基材が足裏を受けるので、履物（スリッパ）を快適に履くことができる。
【０００８】
〔請求項４について〕
抗菌消臭処理がシート基材に成されているので、履物用剥離シートは衛生的である。また、悪臭の発生が防止でき、皮膚病の感染も防止できる。
【０００９】
〔請求項５について〕
広告等（文字、イラスト、写真等）がシート基材に印刷されているので、履物用剥離シートを中底の表面へ貼着すれば、貼着した履物（スリッパ）により宣伝を行うことができる。
なお、広告主からの広告収入を、履物用剥離シートの材料費に充当しても良い。
【００１０】
〔請求項６について〕
履物は、足裏を受ける中底の表面に近似した形状を呈するシート基材の裏面に剥離糊を担持してなる履物用剥離シートを中底に剥離可能に貼着してなる。
中底の表面に近似した形状に切断したシート基材の裏面に剥離糊を担持させるだけなので、履物用剥離シートの材料費が安価で済む。このため、履物を衛生的に利用者に貸すことができるとともに、履物用剥離シートの貼着によるコストの上昇は僅かである。
【００１１】
〔請求項７について〕
スリッパは、足裏を受ける中底の表面に近似した形状を呈するシート基材の裏面に剥離糊を担持してなる履物用剥離シートを中底に剥離可能に貼着してなる。
中底の表面に近似した形状に切断したシート基材の裏面に剥離糊を担持させるだけなので、履物用剥離シートの材料費が安価で済む。このため、スリッパを衛生的に利用者に貸すことができるとともに、履物用剥離シートの貼着によるコストの上昇は僅かである。
【００１２】
〔請求項８について〕
スリッパは、所定形状を呈するシート基材の裏面に剥離糊を担持してなる甲カバー用剥離シートを、足を装入する甲カバーの表面に剥離可能に貼着している。また、中底表面に近似した形状を呈するシート基材の裏面に剥離糊を担持してなる中底用剥離シートを、足裏を受ける中底の表面に剥離可能に貼着している。
所定形状および中底の表面に近似した形状に切断した各シート基材の裏面に剥離糊を担持させるだけなので、履物用剥離シートの材料費が安価で済む。このため、スリッパを衛生的に利用者に貸すことができるとともに、履物用剥離シートの貼着によるコストの上昇は僅かである。
また、甲カバーの表面に剥離可能に貼着する甲カバー用剥離シートに、整理番号や部屋番号を記載すれば、一旦、脱いだ自分のスリッパを間違えずに履くことができる。
【００１３】
〔請求項９について〕
スリッパは、紙、不織布、またはプラスチックで形成され、所定形状を呈するシート基材の裏面に剥離糊を担持してなる甲カバー用剥離シートを、足を装入する甲カバーの表面に剥離可能に貼着している。また、紙、不織布、またはプラスチックで形成され、中底表面に近似した形状を呈するシート基材の裏面に剥離糊を担持してなる中底用剥離シートを、足裏を受ける中底の表面に剥離可能に貼着している。
【００１４】
各剥離シートのシート基材は、紙、不織布、またはプラスチックであるので入手し易いとともに、中底用剥離シートのシート基材が足裏を受けるので、スリッパを快適に履くことができる。
また、所定形状および中底の表面に近似した形状に切断した各シート基材の裏面に剥離糊を担持させるだけである。このため、履物用剥離シートの材料費が安価で済み、スリッパを衛生的に利用者に貸すことができるとともに、履物用剥離シートの貼着によるコストの上昇は僅かである。
また、甲カバーの表面に剥離可能に貼着する甲カバー用剥離シートに、整理番号や部屋番号を記載すれば、一旦、脱いだ自分用のスリッパを間違えずに履くことができる。
【００１５】
〔請求項１０について〕
抗菌消臭処理が中底用剥離シートのシート基材に成されているので、スリッパは衛生的である。また、このスリッパを履けば、悪臭の発生が防止でき、皮膚病の感染も防止できる。
【００１６】
〔請求項１１について〕
スリッパは、中底の表面に近似した形状を呈する中底用シート基材の裏面に剥離糊を担持してなる中底用剥離シートを、足裏を受ける中底の表面に剥離可能に貼着し、所定形状の甲カバー用シート基材の裏面に剥離糊を担持してなる甲カバー用剥離シートを、足を装入する甲カバーの表面に剥離可能に貼着している。
そして、中底用剥離シートや甲カバー用剥離シートに、広告や利用予定者の名前を記載する。
利用予定者の名前は、スリッパを貸す側で印刷しておいても、利用者本人が書く様にしても良い。また、広告（文字、イラスト、写真等）は、予めシート基材に印刷しておくのが良い。
このスリッパを使って、広告による宣伝を行うことができる。また、広告主からの広告収入を、履物用剥離シートの材料費に充当することもできる。
【００１７】
甲カバー用シート基材に利用者（または、利用予定者）の名前が記載してあれば、自分用のスリッパを間違えずに履くことができる。また、一旦、脱いだ自分用のスリッパを間違えずに履くことができる。
【００１８】
履物用剥離シートは、所定形状および中底の表面に近似した形状に切断した各シート基材の裏面に剥離糊を担持させるだけである。このため、履物用剥離シートの材料費が安価で済み、スリッパを衛生的に利用者に貸すことができるとともに、履物用剥離シートの貼着によるコストの上昇は僅かである。
【発明を実施するための最良の形態】
【００１９】
スリッパは、甲カバー用剥離シートおよび中底用剥離シートを、それぞれ、甲カバーの表面および中底の表面に剥離可能に貼着してなる。
甲カバー用剥離シートは、利用予定者の名前を記載した長方形のシート基材（和紙製）の裏面に剥離糊を担持している。中底用剥離シートは、中底表面に近似した形状のシート基材（和紙製）に抗菌剤および消臭剤を含浸させた中底用剥離シートを中底の表面に剥離可能に貼着している。
【００２０】
甲カバーの表面に貼着した甲カバー用剥離シートを見れば、自分用のスリッパを利用予定者が間違えずに履くことができる。また、一旦、脱いだ自分用のスリッパを間違えずに履くことができる。
中底の表面に剥離可能に貼着した中底用剥離シートにより、スリッパを衛生的に利用者に貸すことができる。
【実施例１】
【００２１】
本発明の実施例１（請求項１〜４、６〜１０に対応）を図１に基づいて説明する。
スリッパＡは、図１に示す如く、甲カバー用剥離シート１および中底用剥離シート２を、甲カバー３１および中底３２の表面３３に剥離可能に貼着してなる。
【００２２】
甲カバー用剥離シート１（左右で計二枚）は、和紙製で長方形状を呈するシート基材の裏面に剥離糊を担持してなる。この甲カバー用剥離シート１のシート基材の上面には、利用予定者の名前、“日本花子”が記載されている。なお、１１は無記入の甲カバー用剥離シート（二枚）である。
【００２３】
中底用剥離シート２（左右で計二枚）は、中底３２の表面３３より若干小さい、中底表面に近似した形状を呈する和紙製のシート基材２１の裏面に剥離糊２２を担持してなる。なお、中底用剥離シート２のシート基材２１には、足の臭いを分解する消臭剤、および水虫薬等の抗菌剤が担持されている。
【００２４】
甲カバー用剥離シート１、１１および中底用剥離シート２は、図１の（ａ）に示す様に、各形状にくり抜かれ、剥離糊２２が粘着しない台紙４に貼合されている。
台紙４は、台紙基紙の表面にクレーをコートし、更にシリコンをコートしてなる。
【００２５】
つぎに、シート未貼着のスリッパへの各シートの貼着について説明する。
図１の（ａ）において、台紙４から甲カバー用剥離シート１および中底用剥離シート２を剥がす。
図１の（ｂ）の甲カバー用剥離シート１および中底用剥離シート２を、図１の（ｃ）に示す様に、甲カバー３１および中底３２の表面３３に貼着する。なお、利用予定者の名前を記載した甲カバー用剥離シート１の代わりに、無記入の甲カバー用剥離シート１１を甲カバー３１に貼着しても良い。
【００２６】
実施例１は、以下に示す利点を有する。
中底用剥離シート２は、シート未貼着のスリッパの中底３２の表面３３に近似した形状にくり抜いたシート基材２１の裏面に剥離糊２２を担持させるだけなので、材料費が安価で済む。また、シート基材２１の裏面に担持させた剥離糊２２により、スリッパの中底３２の表面３３へ強固に貼着することができる。なお、甲カバー用剥離シート１も同様に、長方形にくり抜いたシート基材の裏面に剥離糊を担持させるだけなので、材料費が安価で済むとともに、シート基材の裏面に担持させた剥離糊により、甲カバー３１の表面へ強固に貼着することができる。
【００２７】
甲カバー用剥離シート１および中底用剥離シート２は、和紙であるので入手し易く、材料費が安価で済む。また、シート基材が足裏を受けるので、スリッパＡを快適に履くことができる。なお、甲カバー用剥離シート１および中底用剥離シート２の貼着によるコストの上昇は僅かである。
【００２８】
中底用剥離シート２のシート基材２１には、足の臭いを分解する消臭剤、および水虫薬等の抗菌剤が担持されているので、悪臭の発生および水虫等の皮膚病の感染を防止でき、衛生的に利用者に貸すことができる。
【００２９】
スリッパＡは、足を装入する甲カバー３１の表面に、利用予定者の名前を記載した甲カバー用剥離シート１を剥離可能に貼着している。
このため、利用予定者が自分用のスリッパＡを間違えずに履くことができる。また、一旦、脱いだ自分用のスリッパＡを間違えずに履くことができる。
なお、無記入の甲カバー用剥離シート１１に、整理番号や部屋番号等を記入して甲カバー３１の表面へ貼着することもできる。
【実施例２】
【００３０】
本発明の実施例２（請求項１〜３、５〜９、１１に対応）を図２に基づいて説明する。  スリッパＢは、図２に示す如く、甲カバー用剥離シート５および中底用剥離シート６を、甲カバー７１および中底７２の表面７３に剥離可能に貼着してなる。
【００３１】
甲カバー用剥離シート５（左右で計二枚）は、塩化ビニル製で長方形状を呈するシート基材の裏面に剥離糊を担持してなる。この甲カバー用剥離シート５のシート基材の上面には、利用予定者の名前、“世界太郎”が記載されている。なお、５１は無記入の甲カバー用剥離シート（二枚）である。
【００３２】
中底用剥離シート６（左右で計二枚）は、中底７２の表面７３より若干小さい、中底表面に近似した形状を呈する塩化ビニル製のシート基材６１の裏面に剥離糊６２を担持してなる。なお、中底用剥離シート６のシート基材６１の上面には、文字とイラストにより近隣のホテル名が記載されている。
【００３３】
甲カバー用剥離シート５、５１および中底用剥離シート６は、図２の（ａ）に示す様に、各形状にくり抜かれ、剥離糊６２が粘着しない台紙７に貼合されている。
台紙７は、台紙基紙の表面にクレーをコートし、更にシリコンをコートしてなる。
【００３４】
つぎに、シート未貼着のスリッパへの各シートの貼着について説明する。
図２の（ａ）において、台紙７から甲カバー用剥離シート５および中底用剥離シート６を剥がす。
図２の（ｂ）の甲カバー用剥離シート５および中底用剥離シート６を、図２の（ｃ）に示す様に、甲カバー７１および中底７２の表面７３に貼着する。なお、利用予定者の名前を記載した甲カバー用剥離シート５の代わりに、無記入の甲カバー用剥離シート５１を甲カバー７１に貼着しても良い。
【００３５】
実施例２は、以下に示す利点を有する。
中底用剥離シート６は、シート未貼着のスリッパの中底７２の表面７３に近似した形状にくり抜いたシート基材６１の裏面に剥離糊６２を担持させるだけなので、材料費が安価で済む。また、シート基材６１の裏面に担持させた剥離糊６２により、スリッパの中底７２の表面７３へ強固に貼着することができる。なお、甲カバー用剥離シート５も同様に、長方形にくり抜いたシート基材の裏面に剥離糊を担持させるだけなので、材料費が安価で済むとともに、シート基材の裏面に担持させた剥離糊により、甲カバー７１の表面へ強固に貼着することができる。
【００３６】
甲カバー用剥離シート５および中底用剥離シート６は、塩化ビニルであるので入手し易く、材料費が安価で済む。また、塩化ビニル製のシート基材６１が足裏を受けるので、スリッパＢを快適に履くことができる。なお、甲カバー用剥離シート５および中底用剥離シート６の貼着によるコストの上昇は僅かである。
【００３７】
スリッパＢは、足を装入する甲カバー７１の表面に、利用予定者の名前を記載した甲カバー用剥離シート５を剥離可能に貼着している。
このため、利用予定者が自分用のスリッパＢを間違えずに履くことができる。また、一旦、脱いだ自分用のスリッパＢを間違えずに履くことができる。
なお、無記入の甲カバー用剥離シート５１に、整理番号や部屋番号等を記入して甲カバー７１の表面へ貼着することもできる。
【００３８】
スリッパＢは、広告をシート基材６１に印刷した中底用剥離シート６を中底７２の表面７３へ貼着しているので、印刷された広告の宣伝を行うことができる。また、広告主からの広告収入を、中底用剥離シート６の材料費に充当することもできる。
【図面の簡単な説明】
【００３９】
【図１】（ａ）〜（ｃ）は、本発明の実施例１に係る、スリッパ、甲カバー用剥離シート、および中底用剥離シートの説明図である。
【図２】（ａ）〜（ｃ）は、本発明の実施例２に係る、スリッパ、甲カバー用剥離シート、および中底用剥離シートの説明図である。
【符号の説明】
【００４０】
Ａ、Ｂ  スリッパ（履物）
２、６  中底用剥離シート（履物用剥離シート）
１、５  甲カバー用剥離シート
２１、６１  シート基材
２２、６２  剥離糊
３１、７１  甲カバー
３２、７２  中底
３３、７３  表面
【図１】
2007061391.tif 000003
【図２】
2007061391.tif 000004